(57)【要約】【課題】基体に対して開閉される開閉体の開閉状態を安価な構成で正確に検知する。【解決手段】パチンコ機１０では、内枠１４の開放側端部に、内枠１４の開閉状態を検知する開閉検知スイッチ１０４を設け、外枠１２には、開閉検知スイッチ１０４に対応する開閉検知部１２０を設ける。内枠１４に搭載された基板と開閉検知スイッチ１０４との接続距離が短縮されるため、開閉検知スイッチのリード線の配線処理やコネクタの接続作業が容易となり、製造コストが抑えられる。また、内枠１４の開閉角度に対するプッシュボタン１０８のストローク量が大きくなり、開閉検知スイッチ１０４による検知範囲のマージンが大きくなることで、内枠１４が少しだけ開放されたときなどでも、開放状態を正確に検知できるようになる。【選択図】図５
2007296232.tif 000002
【特許請求の範囲】
【請求項１】
基体と、
前記基体に開閉可能に設けられた開閉体と、
前記開閉体の開放側端部に設けられ、前記基体に対する開閉体の開閉状態を検知する検知手段と、
前記開閉体に設けられ、前記検知手段と接続されて検知手段からの検知情報に基づき開閉体の開閉状態を判断する判断手段と、
を備えた遊技機。
【請求項２】
前記検知手段は、押圧部が前記基体に押圧及び押圧解除されることにより前記開閉体の開閉状態を検知するスイッチとされ、
前記基体は、前記開閉体の閉塞時に前記押圧部に作用する衝撃を吸収する衝撃吸収手段を有することを特徴とする請求項１記載の遊技機。
【発明の詳細な説明】
【技術分野】
【０００１】
本発明は、基体に開閉可能に設けられた開閉体の開閉状態を検知する検知手段を備えた遊技機に関する。
【背景技術】
【０００２】
パチンコ機等の遊技機では、外枠等の基体に開閉可能に設けられた内枠（前枠）等の開閉体が不正に開放されることを防止するために、開閉体の開閉状態を検知する検知手段としてのスイッチ（リミットスイッチ）を基体に取り付け、開閉体の開閉によってスイッチを作動（解放／押圧）させている技術がある（例えば、特許文献１参照）。
【特許文献１】特開２０００−３２５６３６号公報
【発明の開示】
【発明が解決しようとする課題】
【０００３】
しかしながら、上記技術の構成では、基体に取り付けたスイッチのリード線を開閉体の基板等に接続するために、開閉体の回転支軸側を経由させて接続先まで引き回さなければならず、リード線の配線経路が複雑になるとともに配線距離が伸びて配線処理が煩雑となる。また、電子部品であるスイッチを基体に設けることで、ユニットでの検査項目、例えばスイッチの動作チェック等が増えてしまい、製造コストが嵩む問題がある。
【０００４】
一方、リード線の配線距離を短縮しようとして、スイッチを開閉体の回転支軸近くに配置すると、開閉体の開閉角度に対するスイッチのストローク量が小さくなり、検知範囲のマージンが小さくなる。そのため、例えば開閉体が少しだけ開放されたときなどに、スイッチの押圧解除量が小さくなって開放状態を正しく検知できなくなるおそれがある。
【０００５】
本発明は上記事実を考慮して、基体に対して開閉される開閉体の開閉状態を安価な構成で正確に検知することができる遊技機を提供することを課題とする。
【課題を解決するための手段】
【０００６】
上記課題を解決するために請求項１に記載の発明は、基体と、前記基体に開閉可能に設けられた開閉体と、前記開閉体の開放側端部に設けられ、前記基体に対する開閉体の開閉状態を検知する検知手段と、前記開閉体に設けられ、前記検知手段と接続されて検知手段からの検知情報に基づき開閉体の開閉状態を判断する判断手段と、を備えたことを特徴としている。
【０００７】
請求項１に記載の発明では、基体に対して開閉体が不正に開放されることを防止するため、開閉体の開閉状態を検知する検知手段を開閉体の開放側端部に設けるとともに、開閉体に設けられた判断手段と検知手段を接続し、判断手段が検知手段からの検知情報に基づいて開閉体の開閉状態を判断するよう構成する。
【０００８】
このように、開閉体の開閉状態を検知する検知手段を開閉体に設けることで、検知手段と判断手段との接続距離が短縮されるため、配線処理や接続作業が容易となる。また、検知手段を基体に設けた構成に比べて、製造過程における検知手段の検査項目が削減できるようになる。これにより、製造コストが抑えられ、安価な構成とすることができる。
【０００９】
また、検知手段を開閉体の開放側端部に設けることで、開閉体の開閉角度に対する検知手段の検知範囲のマージンが大きくなり、例えば、開閉体が少しだけ開放されたときなどでも、開放状態を正確に検知できるようになる。
【００１０】
請求項２に記載の発明は、請求項１記載の遊技機において、前記検知手段は、押圧部が前記基体に押圧及び押圧解除されることにより前記開閉体の開閉状態を検知するスイッチとされ、前記基体は、前記開閉体の閉塞時に前記押圧部に作用する衝撃を吸収する衝撃吸収手段を有することを特徴としている。
【００１１】
請求項２に記載の発明では、検知手段としてのスイッチは、押圧部が基体に押圧及び押圧解除されることで開閉体の開閉状態を検知する。このような押圧式のスイッチでは、例えば、押圧部が基体の高剛性部に押圧されると、開閉体が閉塞される度に押圧部に衝撃が作用するようになり、耐久性の低下が懸念される。また、回転支軸からの距離が大きい開放側端部は、回転支軸からの距離が小さい基端側端部に比べて、開閉体の閉塞時に生じる衝撃力が大きくなりやいことから、スイッチを開放側端部に配置すると耐久性が不利になりやすい。
【００１２】
これに対し、上記の構成であれば、基体が有する衝撃吸収手段により、開閉体の閉塞時に押圧部に作用する衝撃が吸収されるため、スイッチの耐久性低下を防止することができる。また、スイッチを開閉体の開放側端部に配置した構成においても長寿命化を図ることができる。
【発明の効果】
【００１３】
本発明の遊技機によれば、基体に対して開閉される開閉体の開閉状態を安価な構成で正確に検知することができる。
【発明を実施するための最良の形態】
【００１４】
以下、本発明の実施形態に係る遊技機について図面を参照して説明する。
【００１５】
（パチンコ機の構成）
図１〜図４には、本発明の一実施形態に係るパチンコ機１０が示されている。図１〜図４に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図４参照）、内枠１４の下側となる外枠１２の前面下端部には、パチンコ機１０の前面下端部を構成する合成樹脂製の下飾り１６が取り付けられている。
【００１６】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図４参照）。
【００１７】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域が、パチンコ機１０の正面側から窓部２４のガラス板２６を通して視認可能とされている。
【００１８】
ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００１９】
内枠１４の前面下部には、パチンコ機１０の前面下部を構成する皿ユニット４０が配置されている。皿ユニット４０は、左側端部が内枠１４に軸支されて開閉可能に取り付けられており、前面上部に、打球（遊技球）を貯留して発射装置６０（図２参照）へ供給する上皿４２が突設され、上皿４２の左下に、上皿４２に貯留しきれない遊技球を貯留するための下皿４４が突設されている。
【００２０】
上皿４２は、底面が正面視にて右側から左側へ向けて下り傾斜しており、傾斜方向下流側となる底面の左側に、上皿４２内に貯留された遊技球を１列に整列して発射装置６０へ供給するための整列通路４６が設けられている。上皿４２の奥壁面における右側端部には、内枠１４の裏面に設けられた払出装置６２（図２参照）から払い出された貸し球や賞球が排出される球排出口４８が形成されている。この球排出口４８から排出された貸し球や賞球は、上皿４２に貯留されるとともに、上皿４２内を左方向へ流下し整列通路４６により１列に整列されて発射装置６０へ供給される。また、上皿４２の前面左側に設けられた上皿用球抜きレバー５０を操作すると、整列通路４６の最下流部が開放して、上皿４２に貯留された遊技球が皿ユニット４０内の球通路（図示省略）を通り下皿４４へ流下し、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００２１】
この皿ユニット４０の前面には、右下部に、発射装置６０と電気的に接続されて打球の発射力（飛距離）を調整するための発射ハンドル５４が取り付けられており、左下部に、下皿４４に隣接して灰皿５６が設けられている。また、皿ユニット４０の前面略中央は矩形箱状に膨出しており、内部には、遊技の進行に応じて効果音を出力する重低音用のスピーカ（サブウーハ）５８が設けられている。
【００２２】
図２に示されるように、内枠１４の裏面における開放側（裏面視左側）の側端部には、内枠１４及びガラス枠２２を施錠するための施錠装置６４が取り付けられており、施錠装置６４の下側には、皿ユニット４０をロックするためのロック装置６８が取り付けられている。この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。さらに、ガラス枠２２を開放すると露出されるロック装置６８のロック解除レバー（図示省略）を操作すると、内枠１４にロックされていた皿ユニット４０がロック解除されて開放可能となる。
【００２３】
（内枠の開閉検知機構）
次に、上記のパチンコ機１０において、基体となる外枠１２に開閉可能に設けられた開閉体としての内枠１４の開閉状態を検知する本実施形態に係る開閉検知機構について説明する。
【００２４】
図５〜図７には、パチンコ機１０の内枠１４と外枠１２に設けられた本実施形態に係る開閉検知機構１００が示されている。
【００２５】
図５に示されるように、内枠１４には、開放側である正面視右側の下端部付近に、スイッチ取付用開口部１０２が形成されており、このスイッチ取付用開口部１０２の裏面側に、図６及び図７に示されるように、開閉検知スイッチ１０４が取り付けられている。
【００２６】
本実施形態の開閉検知スイッチ１０４は、スイッチ本体１０６に押圧式のプッシュボタン１０８が組み付けられた汎用品のプッシュスイッチとされており、プッシュボタン１０８を後方へ向けた姿勢で、スイッチ本体１０６が内枠１４の裏面に取り付けられている。また、図２に示されるように、開閉検知スイッチ１０４のリード線１１０は、内枠１４の裏面に沿って上方へ引き回され、先端に設けられたコネクタ１１２が、内枠１４の裏面略中央に設けられた主制御基板１１４のコネクタ１１６に接続されている。
【００２７】
主制御基板１１４は、パチンコ機１０がパチンコホールの島設備に設置されると、ホールコンピュータに電気的に接続されて各種情報をホールコンピュータへ送信する。このホールコンピュータへ送信する情報には、開閉検知スイッチ１０４から入力された電気信号（ＯＮ／ＯＦＦ信号）に基づく、内枠１４の開閉状態を示す情報が含まれる。
【００２８】
一方、外枠１２においては、開閉検知スイッチ１０４に対応する下飾り１６の所定位置に、開閉検知部１２０が設けられている。
【００２９】
開閉検知部１２０は、下飾り１６の上面右側端部おける後寄りに立設された矩形の板状体であり、下飾り１６に一体的に設けられるとともに、上縁部及び左右の両側縁部に連続形成された周リブ１２２によって補強されている。
【００３０】
開閉検知部１２０の前面には、ステンレス合金（ＳＵＳ）等からなる金属製の板バネ１２４が取り付けられている。この板バネ１２４は、開閉検知部１２０に固定された固定部１２６と、固定部１２６に対し略Ｖ字状に屈曲されて前後方向へ弾性変形可能とされた自由端部１２８とを備えており、自由端部１２８が開閉検知スイッチ１０４のプッシュボタン１０８に当接するよう配置されている。
【００３１】
次に、本実施形態の作用について説明する。
【００３２】
本実施形態に係るパチンコ機１０では、図５及び図６に示されるような開放状態の内枠１４を外枠１２に閉塞する場合、外枠１２へ近づけた内枠１４が外枠１２に突き当たる少し手前で、開閉検知部１２０に設けられた板バネ１２４の自由端部１２８に、開閉検知スイッチ１０４のプッシュボタン１０８が当接する。そして、内枠１４を外枠１２に突き当てて閉塞すると、図７に示されるように、板バネ１２４の自由端部１２８が後方へ弾性変形しつつ、バネ力でプッシュボタン１０８を押圧し、プッシュボタン１０８がスイッチ本体１０６内に押し込まれて開閉検知スイッチ１０４はスイッチＯＮとなる。
【００３３】
このスイッチＯＮ状態では、開閉検知スイッチ１０４から主制御基板１１４へＯＮ信号が入力され、主制御基板１１４は、内枠１４が閉塞されていると判断してその情報をホールコンピュータへ送信する。
【００３４】
また、閉塞状態から内枠１４が開放されると、板バネ１２４の自由端部１２８によるプッシュボタン１０８の押圧が解除され、プッシュボタン１０８がスイッチ本体１０６から突出して、開閉検知スイッチ１０４はスイッチＯＦＦとなる。
【００３５】
このスイッチＯＦＦ状態では、開閉検知スイッチ１０４から主制御基板１１４へＯＦＦ信号が入力され、主制御基板１１４は、内枠１４が開放されていると判断してその情報をホールコンピュータへ送信する。
【００３６】
これにより、パチンコ機１０における内枠１４の開閉状態がホール側で把握できるようになり、内枠１４が不正行為で開放され、パチンコ機１０の内部が不正操作されることを防止することができる。
【００３７】
そして本実施形態では、内枠１４の開閉状態を検知する開閉検知スイッチ１０４を内枠１４に設けていることで、開閉検知スイッチ１０４と主制御基板１１４との接続距離が短縮され、リード線１１０の配線処理やコネクタ１１２の接続作業が容易となる。また、例えば、開閉検知スイッチ１０４を外枠１２に設けた場合に比べて、製造過程における開閉検知スイッチ１０４の検査項目が削減できるようになる。これにより、パチンコ機１０の製造コストが抑えられ、安価な構成の開閉検知機構１００を実現できる。
【００３８】
また、開閉検知スイッチ１０４を内枠１４の開放側端部、すなわち、内枠１４の回転支軸を構成するヒンジ部１８、２０から最も離れた位置に設けていることで、内枠１４の開閉角度に対するプッシュボタン１０８のストローク量が大きくなり、開閉検知スイッチ１０４による検知範囲のマージンが大きくなる。これにより、例えば、内枠１４が少しだけ開放されたときなどでも、開放状態を正確に検知できるようになる。
【００３９】
また、特に本実施形態では、開閉検知スイッチ１０４を内枠１４の開放側の下端部付近、すなわち、内枠１４の隅部付近に配置していることにより、開閉検知スイッチ１０４を内枠１４に設けることによる、内枠搭載部品のレイアウトへの影響や設置スペースの縮小化を最小限に抑えることができる。さらに、開閉検知部１２０を下飾り１６に一体的に設けていることにより、このような開閉検知部を別体で構成して外枠１２又は下飾り１６に取り付ける場合に比べ、構成を簡素化することができる。
【００４０】
また、本実施形態のように、開閉検知スイッチ１０４にプッシュスイッチを用いた場合、例えば、プッシュボタン１０８が外枠１２の枠の一部などの高剛性部に直接押圧されると、内枠１４が閉塞される度にプッシュボタン１０８に衝撃が作用するようになり、耐久性の低下が懸念される。また、回転支軸からの距離が大きい開放側端部は、回転支軸からの距離が小さい基端側端部に比べて、内枠１４の閉塞時に生じる衝撃力が大きくなりやすいことから、本実施形態のように開閉検知スイッチ１０４を開放側端部に配置した構成では、基端側端部に配置した構成に比べて、開閉検知スイッチ１０４の耐久性が不利になりやすい。
【００４１】
これに対し、上記のように開閉検知部１２０に板バネ１２４を設けた構成であれば、内枠１４の閉塞時にプッシュボタン１０８に作用する衝撃が板バネ１２４によって吸収されるため、開閉検知スイッチ１０４の耐久性低下を防止することができ、特に本実施形態のように、開閉検知スイッチ１０４を内枠１４の開放側端部に配置した構成においても長寿命化を図ることができる。
【００４２】
以上、本発明を上述した特定の実施形態により詳細に説明したが、本発明はそれに限定されるものではなく、本発明の範囲内にて他の種々の形態が実施可能である。
【００４３】
例えば、上記の実施形態では、外枠１２に対する内枠１４の開閉状態を検知する検知手段としての開閉検知スイッチ１０４に、プッシュスイッチを用いているが、リミットスイッチ等を用いるようにしてもよい。また、内枠１４の閉塞時に開閉検知スイッチ１０４のプッシュボタン１０８に作用する衝撃を吸収するための衝撃吸収手段を、金属製の板バネ１２４で構成しているが、このような板バネの他に、スプリングやエラストマー等の弾性部材で構成するようにしてもよい。
【００４４】
また本発明は、上述したパチンコ機に限らず、基体に対して開閉される開閉体を備えたパチスロ機や各種アミューズメント機等の他の遊技機にも適用することができる。
【図面の簡単な説明】
【００４５】
【図１】本発明の一実施形態に係るパチンコ機を示す正面図である。
【図２】本発明の一実施形態に係るパチンコ機を示す背面図である。
【図３】本発明の一実施形態に係るパチンコ機を示す正面側から見た斜視図である。
【図４】本発明の一実施形態に係るパチンコ機のガラス枠が開放された状態を示す正面側から見た斜視図である。
【図５】本発明の一実施形態に係る内枠の開閉検知機構を内枠開放状態にて示す斜視図である。
【図６】本発明の一実施形態に係る内枠の開閉検知機構を内枠開放状態にて示す斜視図である。
【図７】本発明の一実施形態に係る内枠の開閉検知機構を内枠閉塞状態にて示す平面図である。
【符号の説明】
【００４６】
１０        パチンコ機（遊技機）
１２        外枠（基体）
１４        内枠（開閉体）
１００      開閉検知機構
１０４      開閉検知スイッチ（検知手段／スイッチ）
１０８      プッシュボタン（押圧部）
１１４      主制御基板（判断手段）
１２０      開閉検知部
１２４      板バネ（衝撃吸収手段）
【図１】
2007296232.tif 000003
【図２】
2007296232.tif 000004
【図３】
2007296232.tif 000005
【図４】
2007296232.tif 000006
【図５】
2007296232.tif 000007
【図６】
2007296232.tif 000008
【図７】
2007296232.tif 000009